(57)【要約】【目的】ラッチ部材の係止力と操作ボタンの押し力とを任意に設定可能にし、操作ボタン及びラッチ部材の作動特性を良好にしたり誤作動をなくする。【構成】操作ボタン３及びラッチ部材４がハウジング２１内で略交差するよう配置され、操作ボタン３を付勢力に抗して押すことによりラッチ部材４をハウジング１外へ突出した係止位置から退避する非係止位置へ切り換えるロック装置１において、操作ボタン３及びラッチ部材４は、ハウジング２内に配置されている対向する箇所にそれぞれ設けられたカム凸部３５及びカム凹部４５の一方を有し、ラッチ部材４がカム凸部３５・カム凹部４５のカム作動を介し係止位置から非係止位置に切換可能になっている。【選択図】　　　　図３
2004044114.tif 000002
【特許請求の範囲】
【請求項１】
操作ボタン及びラッチ部材がハウジング内で略交差するよう配置されると共に、前記操作ボタンを付勢力に抗して押すことにより前記ラッチ部材をハウジング外へ突出した係止位置からハウジング内へ退避する非係止位置へ切り換えるロック装置において、
前記操作ボタン及び前記ラッチ部材は、前記ハウジング内に配置されている対向する箇所にそれぞれ設けられたカム凸部及びカム凹部の一方を有し、前記ラッチ部材が前記カム凸部及びカム凹部のカム作動を介し前記係止位置から非係止位置に切換可能になっていることを特徴とするロック装置。
【請求項２】
前記操作ボタン及びラッチ部材が独立した専用の付勢部材によりそれぞれ付勢されていると共に、前記ラッチ部材が前記非係止位置方向への負荷を受けたときに前記操作ボタンの動きを伴わず前記係止位置から非係止位置へ切換可能になっている請求項１に記載のロック装置。
【請求項３】
前記操作ボタンは操作部に下設された枠状部を有し、該枠状部の枠内面に前記カム凸部を形成していると共に、前記ラッチ部材は前記枠状部の枠内に配置される側壁部に前記カム凹部を形成している請求項１又は２に記載のロック装置。
【請求項４】
前記操作ボタンは下端側に爪付きの下延長片を有し、該下延長片により前記ハウジングに抜け止め可能に組み付けられていると共に、前記ラッチ部材は後端側に係止爪を有し、該係止爪により前記ハウジングに抜け止め可能に組み付けられている請求項１から３の何れかに記載のロック装置。
【発明の詳細な説明】
【０００１】
【発明の属する技術分野】
本発明は、本体に対し蓋体の閉状態を係止するロック装置のうち、特に操作ボタンの押し操作により係止解除するタイプのロック装置に関するものである。
【０００２】
【従来の技術】
図８及び図９はロック装置の２つの従来例を示している。図８のロック装置（特開平１１−１５９２１５号）６０は、操作ボタン６２及びラッチ部材６３がハウジング６１内で略交差するよう配置され、収納本体７０に対し蓋体７５を蓋閉方向への回動によりラッチ部材６３を介し係止し、操作ボタン６２の押し操作によりラッチ部材６３を動かして係止解除する。即ち、ハウジング６１は、収納本体７０の開口側部分を利用した凹所７１であり、凹所７１の対向壁に形成された摺動孔６１ａ，６１ｂを形成している。ラッチ部材６３は、摺動孔６１ａに出没する先端係合部６３ａと、摺動孔６１ｂに挿入される後側軸部６３ｂと、中間部に設けられた連結孔６３ｃとからなる。該ラッチ部材６３は、摺動孔６１ａ，６１ｂと嵌合した状態に配置され、軸部６３ｂに軸嵌されている付勢部材６４の付勢力により係止位置方向へ移動されている。操作ボタン６２は、操作部６２ａと、連結孔６３ｃに挿通されている摺動部６２ｂと、摺動部６２ｂの後端に設けられた抜止爪６２ｃとからなる。そして、操作ボタン６２は、ラッチ部材６３に対し摺動部６２ｂの傾斜端面と、連結孔６３ｃの傾斜端面とが当接した状態で組立られる。組立状態では、（ｂ）のごとく、ラッチ部材６３が係止位置へ付勢移動され、操作ボタン６２が前記両傾斜端面同士の当接を介し同図の突出状態にある。蓋体７５は、回動されて閉状態に達する直前で係合部６３ａに当たった後、ラッチ部材６３を付勢部材６４の付勢に抗して退避しながら閉状態になる。すると、ラッチ部材６３は、係合部６３ａが蓋体７５の対応端面に設けられた窪み７６と対向し、付勢部材６４による付勢力で移動されて窪み７６に係合し係止位置となる。また、係止解除するときは、操作ボタン６２を押操作すると、ラッチ部材６３が前記傾斜端面同士の当接を介し退避され、前記係止位置から非係止位置へ切り換えられる。
【０００３】
図９の従来例は、操作ボタン８２及びラッチ部材８３がハウジング８１内で交差するよう組み付けられている点、蓋閉方向への回動によりラッチ部材８３を介し蓋体を係止し、操作ボタン８２の付勢部材８４に抗した押し操作によりラッチ部材８３を動かして係止解除する点で図８と同じ。換言すると、ハウジング８１は上側の枠状部の両側壁にガイド溝８１ａを有している。操作ボタン８２は操作部８２ａ及び枠部８２ｂからなり、該枠部８２ｂの対向側部に傾斜孔８２ｃを形成している。ラッチ部材８３は、幅方向に貫通された挿通孔８３ａ及び後端に突出されたガイド軸８３ｂを有している。そして、操作ボタン８２及びラッチ部材８３は、ハウジング８１に対し枠部８２ｂが付勢部材８４と共に上開口８１ｂより入れられ、ラッチ部材８３が該枠部８２ｂに前面開口８１ｃより摺動自在に配置された後、ピン８５が一方ガイド溝８１ａ、一方傾斜孔８２ｃ、挿通孔８３ａ、他方傾斜孔８２ｃ、他方ガイド溝８１ａに串差し状に挿通されることにより組み付けられる。組立状態では、操作ボタン８２が付勢部材８４を介し突出され、ラッチ部材８３が傾斜孔８２ｃの前下側へ移動されるピン８５を介し前方へ突出した係止位置となる。この係止位置は、図８の係合部６３ａが窪み７６に係止した状態である。該係止を解除するときは、操作ボタン８２を付勢部材８４の付勢に抗して押操作すると、ラッチ部材８３が傾斜孔８２ｃの後上側へ移動されるピン８５を介しハウジング８１の後方へ退避した非係止位置となる。
【０００４】
【発明が解決しようとする課題】
以上の各従来構造は、簡易であるが、次のような点で未だ満足できない。即ち、　第１に、ロック装置６０，８０は、ラッチ部材６３，８３の係止力と、操作ボタン６２，８２の押し力とが共に付勢部材６４，８４のばね圧に比例した強さとなる。ところが、用途によっては、例えば、ラッチ部材の係止力をより増大し、同時に、操作ボタンの押し力を他の機器類に対応してより弱くしたいこともある。従来装置ではそのような要求を充足できない。
第２に、ラッチ部材６３，８３は、蓋体７５が閉方向へ回動されて先端係合部６３ａ等に当たるときに受ける負荷で、いったん非係止位置方向へ退避しながら蓋体７５の窪み７６等と対向し、再び付勢部材６４，８４の付勢力で該窪み７６と係合する係止位置となる。この過程では、ラッチ部材６３，８３が前記負荷で突出状態から退避するときに操作ボタン６２，８２の下移動を伴うことから、違和感を与える要因となるのでそのような動きをなくしたい。
第３に、図８の装置６０では、操作ボタン６２がラッチ部材６３の連結孔６３ｃに摺動部６２ｂを単に挿入して前記した傾斜端面同士を当接した状態で組み付けられているため、例えば、該傾斜端面同士の間に溜まる塵等で押し力を解放したときに元の突出状態へ復帰しなくなったり、振動等で不用意に上下動してラッチ部材６３を誤作動する虞もある。これに対し、図９の装置８０では、操作ボタン８２の押し力がピン８５の動きを伴ってラッチ部材８３を退避する関係で、ピン８５の移動に起因した摩擦で操作ボタン８２の押し力が大きくなったり摩耗が進みやすくなる、等の品質低下要因を内在していた。
【０００５】
本発明は上記した課題を解消するよう工夫したものである。第１の目的は、構造を複雑化することなく、ラッチ部材の係止力と操作ボタンの押し力とを任意に設定可能にする。第２の目的は、組立性に優れることに加え、操作ボタン及びラッチ部材の作動特性を良好にしたり誤作動をなくしたり、上記したようなピンの動きに起因した摩耗等も解消できるようにする。
【０００６】
【課題を解決するための手段】
上記目的を達成するため本発明は、図１〜図７の例で特定すると、操作ボタン３及びラッチ部材４がハウジング２内で略交差するよう配置されると共に、前記操作ボタン３を付勢力に抗して押すことにより前記ラッチ部材４をハウジング１外へ突出した係止位置からハウジング２内へ退避する非係止位置へ切り換えるロック装置１において、前記操作ボタン３及び前記ラッチ部材４は、前記ハウジング２内に配置されている対向する箇所にそれぞれ設けられたカム凸部３５及びカム凹部４５の一方を有し、前記ラッチ部材４が前記カム凸部３５及びカム凹部４５のカム作動を介し前記係止位置から非係止位置に切換可能になっていることを特徴としている。
【０００７】
以上の発明装置では、操作ボタン３が付勢力に抗して押されると、ラッチ部材４がカム凸部３５及びカム凹部４５の作動により係止位置から非係止位置へ切り換えられる。構造特徴は、カム凸部３５及びカム凹部４５が操作ボタン３とラッチ部材４とを作動連結するカム機構を形成しており、形態例のごとく操作ボタン３のハウジング１側への押し力を効率よくかつスムースにラッチ部材４に伝達してラッチ部材４を係止位置から非係止位置へ切換可能にし、加えて請求項２〜４のごとく展開できるようにする。
【０００８】
（請求項２）前記操作ボタン３及びラッチ部材４が独立した専用の付勢部材５，６によりそれぞれ付勢されていると共に、前記ラッチ部材４が前記非係止位置方向への負荷を受けたときに前記操作ボタン３の動きを伴わず前記係止位置から非係止位置へ切換可能になっている構成である。これは、操作ボタン３が専用の付勢部材５で突出方向へ付勢され、ラッチ部材４が専用の付勢部材６で係止位置方向へ付勢されていると、例えば、上記したラッチ部材４の係止力と操作ボタン３の押し力とを用途に応じてそれぞれ個別的に設定でき、設計自由度を拡大可能にする。同時に、操作ボタン３は、ラッチ部材４が係止位置において、ラッチ部材４に加わる負荷で非係止位置方向へ退避しても動かないため、従来のような違和感などがなくなり信頼性を向上できる。
（請求項３）前記操作ボタン３は操作部３０に下設された枠状部３１を有し、該枠状部３１の枠内面に前記カム凸部３５を形成していると共に、前記ラッチ部材４は前記枠状部３１の枠内に配置される側壁部（基部４２の両側部）に前記カム凹部４５を形成している構成である。これは、カム凸部３５及びカム凹部４５の設置個所として、操作ボタン３の枠状部３１及びそこに配置されるラッチ部材４の側壁部（基部４２の両側部）を利用することで、例えば、操作ボタン３とラッチ部材４との互いの対向部を容易かつ広めに確保しやすいこと、ラッチ部材４の左右の動きを別途規制しなくてもよいこと、等の簡素化が可能となる。
（請求項４）前記操作ボタン３は下端側に爪３４付きの下延長片３３を有し、該下延長片３３により前記ハウジング２に抜け止め可能に組み付けられていると共に、前記ラッチ部材４は後端側に係止爪４４を有し、該係止爪４４により前記ハウジング２に抜け止め可能に組み付けられている構成である。これは、操作ボタン３及びラッチ部材４をハウジング２に対し単独で組み付けても複雑化せず、形態例の如く組立作業を簡単に行えるようにする。
【０００９】
【発明の実施の形態】
本発明の実施形態について図面を参照して説明する。実施形態は好適な一例に過ぎず、本発明を制約するものではない。図１は本発明を適用したロック装置を示し、同（ａ）は概略外観図、同（ｂ）は分解図である。図２はロック装置の内部構成を示し、同（ａ）はハウジングだけを断面した模式構成図、同（ｂ）は（ａ）のＡ−Ａ線断面図である。図３と図４は作動図であり、各（ａ）はラッチ部材の係止位置での模式縦断面図、各（ｂ）はラッチ部材の非係止位置での模式断面図である。図５はハウジング単品を示し、同（ａ）は上面図、同（ｂ）は（ａ）のＢ−Ｂ線断面図、同（ｃ）は正面図、同（ｄ）は（ｃ）のＣ−Ｃ線断面図である。図６は操作ボタン単品を示し、同（ａ）は側面図、同（ｂ）は正面図、同（ｃ）は（ｂ）のＤ−Ｄ線断面図、同（ｄ）は下面図である。図７はラッチ部材単品を示し、同（ａ）は側面図、同（ｂ）は上面図、同（ｃ）は（ｂ）のＥ−Ｅ線断面図である。以下の説明では、概要、要部構造及び作動の順で詳述する。
【００１０】
（概要）形態例のロック装置１は、操作ボタン３及びラッチ部材４がハウジング１内で略交差するよう配置されて、操作ボタン３を付勢力に抗して押すことによりラッチ部材４をハウジング外へ突出した係止位置からハウジング内へ退避する非係止位置へ切り換えるタイプである。部材数は、ハウジング１と、操作ボタン３と、ラッチ部材４と、２個の付勢部材５，６との５点からなる。材質はハウジング１、操作ボタン３、ラッチ部材４が樹脂成形品、付勢部材５，６が金属製である。但し、材質的にはこれに限られない。構成部材の内、ハウジング１は、形態例のごとく専用品で形成される以外に、図８のように収納本体側の一部に一体的に設けるようにしても差し支えない。用途は、収納本体又は機器本体の開口を開閉する蓋体（カバー）に好適である。図３の蓋体８は、収納本体７の上開口を開閉することを想定しているが、図８の例のごとく収納本体の前開口を開閉するタイプでもよい。通常は、蓋体８が付勢手段により開方向へ付勢され、該付勢力に抗して閉状態に回動されてロック装置１を介し係止される。
【００１１】
（要部構造）ハウジング１は、図１と図５のごとく、本体１０が略Ｔ形のブロック体であり、上面に突設されている矩形枠部１１と、枠部１１の背面側に設けられている筒部１２とを有している。本体１０は、中間部１６を凹状部に形成し、左右部分を取付孔１０ａ付きの取付部１７に設定している。中間部１６には、凹状部の底面側にあって、中央に貫通された通し孔１６ａと、両側壁部分を含めて開口された両側の通し溝１６ｂとが設けられている。取付部１７は設置個所に応じ変更され、取付孔１０ａの数や形状も適宜設計される。枠部１１は、上側の上開口１３と前側の前開口１４とを形成しており、上開口１３から挿入される操作ボタン３と、前開口１４から挿入されるラッチ部材４とを略交差した状態に配置可能にする。枠部１１の背面は、中央部に設けられて筒部１２に貫通している挿通孔１５ａと、該挿通孔１５ａの両側に設けられて筒部１２に貫通している通し溝１５ｂとを有している。筒部１２は、後側を開口し、両側内面に前後に延びる水平溝１２ａを形成している。符号１１ａは枠部１１の前上辺に設けられている隠蔽用小鍔である。符号１８は本体中間部１６に設けられている取付時の逃げ用窪みである。符号１９は枠部１１の両側内面に微量へこんだ案内用縦溝である。
【００１２】
操作ボタン３は、図１と図６のごとく、上側の操作部３０と、該操作部３０に突設された枠状部３１と、枠状部３１の下面に突設された軸部３２と、枠状部３１の両側に接続された下延長片３３と、枠状部３１の両側内面に設けられているカム凸部３５とを有している。操作部３０は矩形板状に形成されている。枠状部３１は、前後方向に貫通され、底壁の一部を前記小鍔１１ａに対応して切り欠いた部分３１ａと、両側壁の外面に設けられて上下に延びる対のガイド突部３１ｂとを形成している。軸部３２は、前記した中間部１６の通し孔１６ａに挿通可能に形成されている。下延長片３３は、前記した中間部１６の通し溝１６ｂに挿通される板幅に形成され、先端外側に突設された抜け止め用爪３４を有している。カム凸部３５は、枠状部３１の両側内面にあって上下中間よりも上側位置に対に設けられている。各カム凸部３５は、縦突起３５ａの下側に少し傾斜した当接部３５ｂを形成している。
【００１３】
ラッチ部材４は、全体が操作ボタン３の枠状部３１に前後摺動可能に配置される寸法であり、前側の係合部４０と、対のガイド片４１と、両ガイド片４１の間に位置する軸部４３と、カム凹部４５とを有している。係合部４０は、基部４２の前側に設けられており、上側が下向きの傾斜面４０ａに形成され、下側が水平面４０ｂに形成されている。ガイド片４１は、前記したハウジング側枠部１１の通し溝１５ｂに挿通される寸法であり、基部４２の後側にあって両側から後方へ延びている。各ガイド片４１には後端側に係止爪４４が設けられている。各係止爪４４は、ガイド片４１の対応部に設けられたコ形スリット４６で区画されることにより揺動変位可能となっている。軸部４３は、前記した枠部１１の挿通孔１５ａに挿通される寸法であり、基部４２の後側中間位置から後方へ延びている。カム凹部４５は、カム凸部３５とカム機構を構成するもので、基部４２の後側にあって各ガイド片４１との間に形成されている。形状は、概略として上から下に落ち込んだ窪みであり、上側がカム凸部３５を充分余裕を持って導入可能な開口寸法、下側がごく狭い開口寸法である。即ち、該窪みは、前内端面が垂直面４５ａに形成され、後内端面が下に行くに従って次第に垂直面４５ａに近づく傾斜面４５ｂに形成されている。カム機構としては、前記当接部３５ｂの傾斜面がカム凹部４５の傾斜面４５ｂに沿って摺動し、上から下向きに摺動するときにラッチ部材４を非係止位置に退避させる構成である。
【００１４】
以上の各部材は次のような要領にて組み立てられる。まず、ハウジング２に対し操作ボタン３が付勢部材５と共に組み込まれる。この作業では、軸部３２に付勢部材５の巻回部を軸装した状態で、操作ボタン３を枠部１１内に押しながら挿入する。すると、両側の下延長片３３は、爪３４が通し溝１６ｂに当たった後、強く押されると揺動変位を伴って通し溝１６ｂを強制的に通過し、通過と同時に元の状態に復帰することにより抜け止めされる。この状態では、操作ボタン３がハウジング２に対し付勢部材５の付勢力で上昇位置にある。次に、ラッチ部材４が付勢部材６と共に組み込まれる。この作業では、軸部４３に付勢部材６の巻回部を軸装し、又、枠状部３１が前開口１４と重なるよう操作ボタン３を若干押した状態で、ラッチ部材４を前開口１４から枠状部３１内に押しながら挿通する。すると、両ガイド片４１は、係止爪４４が通し溝１５ｂに当たった後、強く押されると揺動変位を伴って通し溝１５ｂを強制的に通過し、通過と同時に元の状態に復帰することにより抜け止めされる。同時に、軸部４３の先端側が挿通孔１５ａに挿入される。この状態では、ラッチ部材４がハウジング２に対し付勢部材６の付勢力で前方へ突出した係止位置にある。このように、この構造では、操作ボタン３及びラッチ部材４を共にワンタッチ操作でハウジング２に組み付け可能なため、例えば、図９の構造に比べ組立工数を大幅に軽減できる利点がある。
【００１５】
（作動）次に、以上のロック装置１の作動を図３及び図４を参照し詳述する。図３は図８（ａ）に対応した蓋体８をロック装置１で係止（ロック）した状態を想定している。蓋体８は、例えば、右側の端部が収納本体７に対し不図示のヒンジを介し連結され、又、付勢手段Ｓで開方向へ付勢されている態様である。
【００１６】
ロック装置１は、組立状態において、上述したごとく操作ボタン３が付勢部材５を介し上昇位置、ラッチ部材４が付勢部材６を介し係止位置にある。カム機構との関係では、図３（ｂ）に模式化したごとく、操作ボタン側のカム凸部３５がラッチ部材側のカム凹部４５の後上側に位置している。即ち、当接部３５ｂの傾斜面がカム凹部４５の傾斜面４５ｂの上側に当接している。ここで、係止位置において、ラッチ部材４の係止力は、付勢部材５のばね圧に左右されず、専ら付勢部材６のばね圧に依拠している。このため、この構造では、蓋体８（の対応部８ａ）に対する係止力を増大したり弱くしたいときはそれに応じたばね圧の付勢部材６を使用すればよい。
【００１７】
図４は蓋体８の係止（ロック）を解除するため、操作部３０を押して操作ボタン３を付勢部材５の付勢力に抗して下降させた状態である。カム機構との関係では、図４（ｂ）に模式化したごとく、操作ボタン側のカム凸部３５がラッチ部材側のカム凹部４５の前下側に移動される。即ち、ラッチ部材４は、当接部３５ｂの傾斜面がカム凹部４５の傾斜面４５ｂに沿って下向きに摺動する結果、枠状部３１（枠部１１）内に退避されるよう動かされて非係止位置に切り換えられる。このため、この構造では、ラッチ部材４がカム凸部３５及びカム凹部４５によるカム作動により係止位置から非係止位置に切り換えられるため、スムースな摺動を実現できる。また、この構造では、操作ボタン３の押圧力が付勢部材６のばね圧に左右されず、専ら付勢部材５のばね圧に依拠しているため、該操作ボタン３の押圧力を増大したり弱くしたいときはそれに応じたばね圧の付勢部材５を使用すればよい。
【００１８】
更に、この種ロック機構では、上記したごとく蓋体８が開状態から再び閉方向へ回動されたときに係合部４０に当たり、該当接によりラッチ部材４がいったん退避された後、再び係止位置に復帰される。従来装置ではラッチ部材の退避と連動して操作ボタンも下移動されるが、このロック装置１では操作ボタン３がラッチ部材４の退避と連動して下移動されない。この点は、例えば、図３において、ラッチ部材４が退避方向へ押された態様を想定すればよく、カム凹部４５がカム凸部３５に影響を与えることなく後方（図の左側）へ移動可能になるからである。これにより、この構造では、前記したカム作動による良好な摺動と共に、従来構造では到底得られない作動を実現し、従来のような違和感の虞を解消できる。
【００１９】
【発明の効果】
以上説明したとおり、本発明のロック装置では、上記した全課題を解消して、ラッチ部材をカム凸部及びカム凹部によるカム作動により係止位置から非係止位置に切り換えるため従来のごとく摩擦や摩耗等を生ずることなく良好な切換作動を実現できる。また、操作ボタンの押圧力やラッチ部材の係止力を個々的に設定しやすくでき、しかも、操作ボタンの移動を伴わずにラッチ部材を後退方向へ移動できるため従来の違和感を解消できる、等の利点がある。
【図面の簡単な説明】
【図１】本発明を適用したロック装置の外観と分解構成図である。
【図２】上記ロック装置の内部構成を示す図である。
【図３】上記ロック装置をラッチ係止位置で示す模式作動図である。
【図４】上記ロック装置をラッチ非係止位置で示す模式作動図である。
【図５】上記ロック装置のハウジングを示す詳細図である。
【図６】上記ロック装置の操作ボタンを示す詳細図である。
【図７】上記ロック装置のラッチ部材を示す詳細図である。
【図８】従来ロック装置を示し、（ｂ）は（ａ）のＦ−Ｆ線断面図である。
【図９】従来の他のロック装置を示す分解構成図である。
【符号の説明】
１…ロック装置
２…ハウジング（１０は本体１０、１１は枠部、１２は筒部）
３…操作ボタン（３０は操作部、３１は枠状部３１、３２は軸部）
４…ラッチ部材（４０は係合部、４１はガイド片、４３は軸部）
５，６…付勢部材
７，７０…収納本体
８，７５…蓋体
３３…下延長片（３４は爪）
４４…係止爪
３５…カム凸部（３５ａは縦突起、３５ｂは当接部）
４５…カム凹部（４５ａは垂直面、４５ｂは傾斜面）
【図１】
2004044114.tif 000003
【図２】
2004044114.tif 000004
【図３】
2004044114.tif 000005
【図４】
2004044114.tif 000006
【図５】
2004044114.tif 000007
【図６】
2004044114.tif 000008
【図７】
2004044114.tif 000009
【図８】
2004044114.tif 000010
【図９】
2004044114.tif 000011